(57)【特許請求の範囲】
【請求項１】
交換機に接続される回線を閉結及び開放する通信手段と、通信結果を報知する報知手段と、通信結果を記録紙に記録する記録手段と、その記録手段が動作不能の場合は、前記交換機に通信端末装置が使用中であると認識させるために通信手段に回線を閉結させて着信を不能にし、発呼時には通信手段に回線を一旦開放させたあとに閉結させることにより送信を可能にして、報知手段に送信で得られた通信結果を報知させる制御手段とを備えた通信端末装置。
【請求項２】
請求項１に記載の通信端末装置において、通信結果を記憶する記憶手段を備え、制御手段は、記憶手段に通信結果を記憶させる通信端末装置。
【請求項３】
請求項２に記載の通信端末装置において、制御手段は、記録手段が動作可能になった場合には、通信結果を記憶手段から読み出して、記録手段に通信結果を記録させる通信端末装置。
【発明の詳細な説明】
【０００１】
【発明の属する技術分野】
本発明は、複写機能付きファクシミリ装置等の通信端末装置に関し、より詳しくは記録紙やトナーが無くなった場合、或いは感光体ドラムが交換時期に達した場合のように記録部が動作不能になったときの動作に特徴を有する通信端末装置に関するものである。
【０００２】
【従来の技術】
従来より、複写機能付きファクシミリ装置等の通信端末装置において、記録紙やトナーが無くなった場合、或いは感光体ドラムが交換時期に達した場合のように記録部が動作不能になったときには、その旨が表示部に表示される。そして、その表示に基づいて、操作者により記録紙やトナーが補充され、或いはサービスマンにより感光体ドラムが交換されると、記録部の動作が可能となる。
【０００３】
【発明が解決しようとする課題】
ところで、受信側との間で正常にファクシミリ通信が行われたことを確認するための送信証や受領証がある。即ち、ＦＡＸ送信が正常に行われた場合であって、送信証を出力する設定になっている場合には、送信側のファクシミリ装置で送信証を記録紙上に記録する。又、送信側のファクシミリ装置において、受領証を要求する設定がされており、且つ、受信側のファクシミリ装置において、画像メモリに受領証が記憶されている場合には、受信側からの受領証が送信側で受信される。
【０００４】
しかしながら、記録部の動作が可能の場合にＦＡＸ送信を行い、そのＦＡＸ送信の途中でコピー動作が行われて記録部が動作不能になると、送信証や受領証を記録することはできない。そのため、ＦＡＸ送信の途中で記録部が動作不能になった場合には、受信側との間で正常にファクシミリ通信が行われたか否かを素早く確認することはできない。
【０００５】
本発明は、このような問題点に着目してなされたものであって、その目的は、送信の途中で記録部が動作不能になった場合でも、通信結果を素早く確認することが可能な通信端末装置を提供することにある。
【０００６】
【課題を解決するための手段】
上記の目的を達成するために、請求項１に記載の発明では、交換機に接続される回線を閉結及び開放する通信手段と、通信結果を報知する報知手段と、通信結果を記録紙に記録する記録手段と、その記録手段が動作不能の場合は、前記交換機に通信端末装置が使用中であると認識させるために通信手段に回線を閉結させて着信を不能にし、発呼時には通信手段に回線を一旦開放させたあとに閉結させることにより送信を可能にして、報知手段に送信で得られた通信結果を報知させる制御手段とを備えた。
【０００７】
請求項２に記載の発明では、請求項１に記載の通信端末装置において、通信結果を記憶する記憶手段を備え、制御手段は、記憶手段に通信結果を記憶させる。
請求項３に記載の発明では、請求項２に記載の通信端末装置において、制御手段は、記録手段が動作可能になった場合には、通信結果を記憶手段から読み出して、記録手段に通信結果を記録させる。
【０００８】
【発明の実施の形態】
以下に、本発明に係る通信端末装置を複写機能付きファクシミリ装置に具体化した一実施形態を図面を用いて説明する。
【０００９】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００及びＮＣＵ１１０から構成され、各部１０〜１１０がバス１２０を介してそれぞれ接続されている。
【００１０】
ＭＰＵ１０は、複写機能付きファクシミリ装置１を構成する各部を制御する。ＲＯＭ２０は、複写機能付きファクシミリ装置１を制御するための各種プログラムを記憶する。ＲＡＭ３０は、複写機能付きファクシミリ装置１に関する各種情報を記憶する。又、ＲＡＭ３０は、送信証及びエラーメッセージを記憶する。
【００１１】
読取部４０は、原稿上の画像を１ライン分ずつ読み取って、その読み取った画像の画データを白黒２値化し、その２値化した１ライン分の画データをコーデック９０に順次出力する。
【００１２】
記録部５０は、電子写真方式のプリンタよりなり、ＦＡＸ動作において受信画データを、コピー動作において読取部４０で読み取った画データを、記録紙上に記録する。又、記録部５０は、送信証、受領証及びエラーメッセージの通信結果を記録紙上に記録する。さらに、記録部５０は、記録紙センサ５１、トナーセンサ５２及びドラムセンサ５３を備えている。記録紙センサ５１は、記録紙カセットに収容される記録紙の有無を検出して、その検出信号をＭＰＵ１０に出力する。トナーセンサ５２は、トナーケースに収容されるトナーの有無を検出して、その検出信号をＭＰＵ１０に出力する。ドラムセンサ５３は、感光体ドラムの回転を検出して、その検出信号をＭＰＵ１０に出力する。ＭＰＵ１０は、ドラムセンサ５３からの検出信号に基づいて、感光体ドラムの総回転時間を算出し、感光体ドラムが交換時期に達したか否かを判断する。
【００１３】
操作部６０は、ＦＡＸ／コピーキー６１、短縮／電話帳キー６２、ワンタッチキー６３、テンキー（＊，＃キーを含む）６４、スタートキー６５及び設定キー６６等の各種操作キーを備えている。ＦＡＸ／コピーキー６１は、ＦＡＸモード又はコピーモードに設定するためのものである。短縮／電話帳キー６２は、予め登録した相手先の電話番号（ＦＡＸ番号を含む）を短縮番号で指定するためのものであるとともに、予め登録した相手先を電話帳で検索して相手先の電話番号を指定するためのものである。ワンタッチキー６３は、予め登録した相手先をワンタッチで指定するためのものである。テンキー６４は、相手先の電話番号又はコピー部数等を入力するためのものである。スタートキー６５は、ＦＡＸの送信原稿又はコピー原稿の読み取り動作を開始させるためのものである。設定キー６６は、送信日時を予約するための送信予約の設定、送信証を作成するための設定、受信側の通信端末装置に対して受領証を要求するための設定を行うためのものである。
【００１４】
ＬＣＤ等よりなる表示部７０は、複写機能付きファクシミリ装置１の動作状態等の各種情報の表示を行う。又、表示部７０は、送信証、受領証及びエラーメッセージを表示する。
【００１５】
画像メモリ８０は、受信画データや読取部４０で読み取られた画像の画データを一時的に記憶する。又、画像メモリ８０は、受信側の通信端末装置で作成された受領証を記憶する。コーデック９０は、読取部４０から入力された画データを送信のためにＭＨ，ＭＲ，ＭＭＲ，ＪＢＩＧ方式等により帯域圧縮して符号化（エンコード）する。又、コーデック９０は、受信画データを復号（デコード）する。
【００１６】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌを閉結及び開放するとともに、相手先の電話番号に対応したダイヤル信号の送出及び着信を検出するための機能を備えている。
【００１７】
次に、ＮＣＵ１１０の構成について説明する。
図２に示すように、モデム１００は、トランス１１１を介して電話回線Ｌ（Ｌ１，Ｌ２）と接続されている。ＣＭＬリレー１１２は、電話回線Ｌとモデム１００との間に配置され、リレー制御部１１３からの制御により、電話回線Ｌを閉結及び開放する。尚、電話回線Ｌは、閉結に伴いモデム１００を介した直流ループを形成し、開放に伴いその直流ループを開放する。ダイヤル信号発生回路１１４は、トランス１１１とＣＭＬリレー１１２との間に配置され、リレー制御部１１３からの制御により、ダイヤル信号を発生する。
【００１８】
呼出信号検出回路１１５は、電話回線Ｌに接続され、その電話回線Ｌ上の１６〔Ｈｚ〕の呼出信号を検出して、その検出信号をＭＰＵ１０に出力する。第１及び第２オフフック検出回路１１６，１１７は、それぞれ付属電話機１３１及び子電話機１３２のオフフック（ハンドセットを取り上げた状態）を検出して、その検出信号をＭＰＵ１０に出力する。
【００１９】
第１及び第２リレー１１８，１１９は、それぞれ付属電話機１３１及び子電話機１３２を電話回線Ｌに接続するために設けられている。リレー制御部１１３は、ＭＰＵ１０からの制御に基づいて、ＣＭＬリレー１１２、ダイヤル信号発生回路１１４、第１及び第２リレー１１８，１１９を制御する。
【００２０】
次に、記録部５０の動作不能時における複写機能付きファクシミリ装置１の動作について、図３〜図５に示すフローチャートを用いて説明する。尚、この動作は、ＲＯＭ２０に記憶されたプログラムに基づき、ＭＰＵ１０の制御により実行される。
【００２１】
ステップＳ１では、記録紙センサ５１からの検出信号に基づいて、記録紙の有無を判断する。記録紙が無い場合は、ステップＳ６に移行する。一方、記録紙がある場合は、ステップＳ２に移行する。
【００２２】
ステップＳ２では、トナーセンサ５２からの検出信号に基づいて、トナーの有無を判断する。トナーが無い場合は、ステップＳ６に移行する。一方、トナーがある場合は、ステップＳ３に移行する。
【００２３】
ステップＳ３では、ドラムセンサ５３からの検出信号に基づいて、感光体ドラムが交換時期に達したか否かを判断する。感光体ドラムが交換時期に達した場合は、ステップＳ６に移行する。一方、感光体ドラムが交換時期に達していない場合は、ステップＳ４に移行する。
【００２４】
ステップＳ４では、ＣＮＧ信号に基づいてファクシミリ通信による着信があったか否かを判断する。着信があった場合は、ステップＳ５に移行する。そして、相手先からファクシミリ装置であることを示すＣＮＧ信号が送信されてきて、ファクシミリ伝送制御手順に基づくファクシミリ通信が開始されると、ステップＳ５では、画データを受信して、その受信画データを記録紙上に記録部５０で記録し、前記ステップＳ１に移行する。つまり、記録紙及びトナーがあり、感光体ドラムが交換時期に達していない場合には、前記ステップＳ１〜ステップＳ５の処理を繰り返す。一方、着信がない場合は、図５に示すステップＳ２８に移行する。
【００２５】
そして、記録紙やトナーが無くなった場合、或いは感光体ドラムが交換時期に達した場合のように記録部５０が動作不能になったとき、ステップＳ６では、ＣＭＬリレー１１２に電話回線Ｌを閉結させる。つまり、記録部５０が動作不能の場合には、直ちに画データを記録部５０で記録することはできない。そのため、記録部５０が動作不能の場合には、ファクシミリ通信による着信が行われないようにするために電話回線Ｌを閉結させているのである。
【００２６】
この状態で、送信者により送信原稿が読取部４０に載置されるとともに、相手先のＦＡＸ番号がテンキー６４で入力されるか、相手先が短縮／電話帳キー６２又はワンタッチキー６３で指定されると、ＭＰＵ１０は、相手先のＦＡＸ番号をＲＡＭ３０に記憶する。
【００２７】
ステップＳ７では、送信日時を予約するために送信者により設定キー６６が押下されたか否かを判断する。設定キー６６が押下された場合は、ステップＳ８に移行する。一方、設定キー６６が押下されない場合は、ステップＳ９に移行する。
【００２８】
ステップＳ８では、送信予約の設定が終了されるまで待機する。具体的には、送信予約の設定としては、「送信日時」、「相手先のＦＡＸ番号」、「親展や同報等のＦＡＸ種別」等が挙げられる。そして、送信予約の設定が終了されると、ステップＳ９に移行する。つまり、送信者により送信予約の内容がテンキー６４等から入力されると、ＭＰＵ１０は、その送信予約の内容をＲＡＭ３０に記憶する。
【００２９】
ステップＳ９では、送信者によりスタートキー６５が押下されるまで待機する。そして、スタートキー６５が押下された場合は、ステップＳ１０に移行する。尚、送信原稿が取り除かれた場合、或いは所定時間内にスタートキー６５が押下されない場合は、ステップＳ８で設定された送信日時がクリアされて、ステップＳ１に戻る。
【００３０】
ステップＳ１０では、送信原稿上の画像を読取部４０で読み取って、その画像の画データを画像メモリ８０に記憶する。
図４に示すステップＳ１１では、ＣＭＬリレー１１２に電話回線Ｌを開放させる。つまり、送信者により送信原稿が載置されて相手先が指定され、さらに送信予約が設定された後、スタートキー６５が押下された場合であって、その予約された送信日時になると、ＣＭＬリレー１１２に電話回線Ｌを開放させる。一方、前記ステップＳ７において送信者により設定キー６６が押下されず、スタートキー６５が押下された場合には、即時送信と判断して、ＣＭＬリレー１１２に電話回線Ｌを開放させる。
【００３１】
ステップＳ１２では、ＣＭＬリレー１１２に電話回線Ｌを開放させた状態で、１秒間待機する。即ち、電話回線Ｌの閉結時間が長時間に亘ると、交換機は、複写機能付きファクシミリ装置１が電話回線Ｌを使用中であると認識して、以後ダイヤル信号発生回路１１４からのダイヤル信号を受け付けなくなる。そこで、ＣＭＬリレー１１２に電話回線Ｌを１秒間開放させているのである。
【００３２】
ステップＳ１３では、ＣＭＬリレー１１２に電話回線Ｌを再度閉結させる。
ステップＳ１４では、相手先のＦＡＸ番号をＲＡＭ３０から読み出して、そのＦＡＸ番号に対応したダイヤル信号をダイヤル信号発生回路１１４から電話回線Ｌに送出させる。
【００３３】
ステップＳ１５では、画データを画像メモリ８０から読み出して、その画データのＦＡＸ送信を開始する。
ステップＳ１６では、送信エラーが発生したか否かを判断する。送信エラーが発生しなかった場合、つまり、ＦＡＸ送信が正常に終了した場合は、ステップＳ１７に移行する。一方、ファクシミリ伝送制御手順の途中で、ＤＩＳ信号、ＭＰＳ信号の応答信号であるＭＣＦ信号、又はＥＯＰ信号の応答信号であるＭＣＦ信号が、相手先のファクシミリ装置から送信されてこない場合は、送信エラーが発生したと判断し、ステップＳ２５に移行する。
【００３４】
ステップＳ１７では、設定キー６６の設定に基づいて、相手先のファクシミリ装置に対して受領証を要求するか否かを判断する。受領証を要求しない場合は、ステップＳ１８に移行する。一方、受領証を要求する場合は、ステップＳ２２に移行する。
【００３５】
ステップＳ１８では、ＣＭＬリレー１１２に電話回線Ｌを開放させる。
ステップＳ１９では、設定キー６６の設定に基づいて、送信証を作成するか否かを判断する。送信証を作成する場合は、ステップＳ２０に移行する。一方、送信証を作成しない場合は、この処理を終了する。
【００３６】
ステップＳ２０では、送信日時、相手先の名称、相手先のＦＡＸ番号及び送信枚数の各項目から構成される送信証をテキストデータで作成し、表示部７０に表示させる。即ち、ＲＯＭ２０は、テキストデータを表示するためのエディタビューア・プログラムを記憶している。
【００３７】
ステップＳ２１では、ステップＳ２０で作成した送信証をＲＡＭ３０に記憶して、この処理を終了する。
前記ステップＳ１７において受領証を要求する場合には、ステップＳ２２で、画データからなる受領証を相手先のファクシミリ装置で作成させる。そして、ＭＰＵ１０は、今まで送信側であった複写機能付きファクシミリ装置１が受信側に、又、今まで受信側であった相手先のファクシミリ装置が送信側になる、いわゆるターンアラウンドポーリングを行う。つまり、ＭＰＵ１０は、送信側となった相手先のファクシミリ装置で作成させた受領証を受信して、表示部７０に表示させる。即ち、ＲＯＭ２０は、画データを表示するためのビューア・プログラムを記憶している。そして、記録部５０が動作不能であっても、相手先との間で正常にファクシミリ通信が行われたことを確認するために、受領証を受信して、表示部７０に表示している。
【００３８】
ステップＳ２３では、ステップＳ２２で受信した受領証を画像メモリ８０に記憶する。
ステップＳ２４では、ＣＭＬリレー１１２に電話回線Ｌを開放させて、この処理を終了する。
【００３９】
前記ステップＳ１６において送信エラーが発生した場合は、ステップＳ２５で、ＣＭＬリレー１１２に電話回線Ｌを開放させる。
ステップＳ２６では、送信日時、相手先の名称、相手先のＦＡＸ番号、エラーコード及び送信済枚数からなるエラーメッセージをテキストデータで作成し、表示部７０に表示させる。
【００４０】
ステップＳ２７では、ステップＳ２６で作成したエラーメッセージをＲＡＭ３０に記憶して、この処理を終了する。
次に、前記ステップＳ４で「ＮＯ」の場合、つまり、操作者により記録紙やトナーが補充され、或いはサービスマンにより感光体ドラムが交換されて、記録部５０の動作が可能になった場合には、図５に示すステップＳ２８で、送信証がＲＡＭ３０に記憶されているか否かを判断する。送信証がＲＡＭ３０に記憶されている場合は、ステップＳ２９に移行する。一方、送信証がＲＡＭ３０に記憶されていない場合は、ステップＳ３０に移行する。
【００４１】
ステップＳ２９では、送信証をＲＡＭ３０から読み出して、テキストデータの送信証を画データに変換し、その画データを記録部５０で記録紙上に記録する。
ステップＳ３０では、受領証が画像メモリ８０に記憶されているか否かを判断する。受領証が画像メモリ８０に記憶されている場合は、ステップＳ３１に移行する。一方、受領証が画像メモリ８０に記憶されていない場合は、ステップＳ３２に移行する。
【００４２】
ステップＳ３１では、受領証を画像メモリ８０から読み出して、その受領証を記録部５０で記録紙上に記録する。
ステップＳ３２では、エラーメッセージがＲＡＭ３０に記憶されているか否かを判断する。エラーメッセージがＲＡＭ３０に記憶されている場合は、ステップＳ３３に移行する。一方、エラーメッセージがＲＡＭ３０に記憶されていない場合は、この処理を終了する。
【００４３】
ステップＳ３３では、エラーメッセージをＲＡＭ３０から読み出して、テキストデータのエラーメッセージを画データに変換し、その画データを記録部５０で記録紙上に記録する。
【００４４】
以上、詳述したように本実施形態によれば、次のような作用、効果を得ることができる。
（１）ＦＡＸ送信が正常に終了すると、設定キー６６の設定に基づいて、送信証を作成するとともに、受信側のファクシミリ装置からの受領証を受信している。一方、送信エラーが発生した場合には、エラーメッセージを作成している。そして、送信証、受領証或いはエラーメッセージを表示部７０に表示させている。従って、ＦＡＸ送信の途中で記録部５０が動作不能になった場合でも、送信証、受領証或いはエラーメッセージの通信結果を表示部７０で素早く確認することができる。
【００４５】
（２）加えて、送信証及びエラーメッセージをＲＡＭ３０に、受領証を画像メモリ８０に記憶している。そして、送信証、受領証又はエラーメッセージを、記録部５０が動作可能となったときに記録部５０で記録させている。そのため、これらの通信結果を表示部７０の表示で確認できなかった場合でも、記録紙上の記録で確認することが可能である。従って、これらの通信結果を確実に確認することができる。
【００４６】
（３）送信証及びエラーメッセージを、画データよりも記憶領域の少ないテキストデータで作成して、ＲＡＭ３０に記憶している。そのため、画データを記憶させる場合と比較して、ＲＡＭ３０の記憶領域が少なくても良い。従って、記録部５０の動作不能の状態が長く続いて多くの送信証及びエラーメッセージをＲＡＭ３０に記憶する必要がある場合にも対応でき、ＲＡＭ３０を有効に使用することができる。
【００４７】
（４）受信側との間で正常にファクシミリ通信が行われたことを確認するために、受領証をターンアラウンドポーリングにより受信している。そのため、通信料金は送信側が負担することになる。従って、受信側に通信料金を負担させることはない。
【００４８】
なお、前記実施形態は、次のように変更して具体化することも可能である。
・前記実施形態では、送信証及びエラーメッセージをテキストデータで作成してＲＡＭ３０に記憶する構成としたが、送信証及びエラーメッセージを画データで作成して画像メモリ８０に記憶する構成としてもよい。このように構成すれば、前記実施形態とは異なり、テキストデータを画データに変換する必要がなくなるため、送信証及びエラーメッセージを素早く記録することができる。
【００４９】
・前記実施形態では、通信端末装置を複写機能付きファクシミリ装置１に具体化したが、複写機能を持たない単なるファクシミリ装置等の通信端末装置に具体化してもよい。
【００５０】
・前記実施形態では、送信証、受領証及びエラーメッセージを表示部７０に表示する構成としたが、図１に破線で示すように、これらの通信結果を音声メッセージで報知する鳴動部１４０を設けて、通信結果を音声で報知する構成としてもよい。
【００５１】
・送信証、受領証及びエラーメッセージが表示部７０に表示されたとき、所定キー（例えば、クリアキー）が押下されると、これらの通信結果を記録紙に記録しないように構成してもよい。つまり、記録されないように無効化してもよい。このように構成すれば、送信者により通信結果が表示部７０で確認された場合には、通信結果は記録紙に記録されない。従って、記録紙が無駄に消費されることを防止することができる。
【００５２】
・加えて、送信証、受領証及びエラーメッセージが表示部７０に表示されたとき、所定キー（例えば、クリアキー）が押下されると、これらの通信結果をＲＡＭ３０又は画像メモリ８０から消去するように構成してもよい。このように構成すれば、ＲＡＭ３０又は画像メモリ８０の空き領域を素早く確保することができる。
【００５３】
・感光体ドラムの回転を検出するドラムセンサ５３に代えて、感光体ドラムを回転駆動させるためのモータの駆動時間に基づいて、感光体ドラムの交換時期であるか否かを判断する構成にしても良い。
【００５４】
さらに、前記実施形態等より把握される請求項以外の技術的思想について、以下にそれらの効果と共に記載する。
〔１〕請求項３に記載の通信端末装置において、記録手段による通信結果の記録を無効化する無効化手段を備え、制御手段は、報知手段の報知に基づいて、無効化手段が操作された場合には、記録手段に通信結果を記録させない通信端末装置。このように構成すれば、記録紙が無駄に消費されることを防止することができる。
【００５５】
〔２〕上記〔１〕に記載の通信端末装置において、制御手段は、報知手段の報知に基づいて、無効化手段が操作された場合には、記憶手段に記憶した通信結果を消去する通信端末装置。このように構成すれば、記憶手段の空き領域を素早く確保することができる。
【００５６】
【発明の効果】
請求項１〜請求項３のいずれか１項に記載の発明によれば、送信の途中で記録部が動作不能になった場合でも、通信結果を素早く確認することができる。
【図面の簡単な説明】
【図１】複写機能付きファクシミリ装置の構成を示すブロック図。
【図２】ＮＣＵの構成を示す概略電気回路図。
【図３】記録部の動作不能時における複写機能付きファクシミリ装置の動作を示すフローチャート。
【図４】記録部の動作不能時における複写機能付きファクシミリ装置の動作を示すフローチャート。
【図５】記録部の動作不能時における複写機能付きファクシミリ装置の動作を示すフローチャート。
【符号の説明】
１…通信端末装置としての複写機能付きファクシミリ装置、１０…制御手段を構成するＭＰＵ、２０…制御手段を構成するＲＯＭ、３０…制御手段を構成する記憶手段としてのＲＡＭ、５０…記録手段としての記録部、７０…報知手段としての表示部、８０…記憶手段としての画像メモリ、１１０…通信手段としてのＮＣＵ、１３０…報知手段としての鳴動部、Ｌ…回線としての電話回線。
【図１】
0004123698.tif 000002
【図２】
0004123698.tif 000003
【図３】
0004123698.tif 000004
【図４】
0004123698.tif 000005
【図５】
0004123698.tif 000006